(57)【要約】【課題】入賞率の変更に伴って、パチンコ球の打出し位置を調整させることで遊技性を高める。【解決手段】遊技盤４には、アタッカ２２を中心にして、その上方の左右に誘導板３１と、第１及び第２収納部材３３，３４が設けられている。入賞抽選によって「通常大当たり」または「確変大当たり」となると、誘導板決定抽選が行われ、左右どちらの誘導板３１を変位させるかが決定される。この抽選で右の誘導板３１が決定されると、アタッカ２２の回動に伴って、右の誘導板３１は非誘導位置から誘導位置に変位する。左の誘導板３１は第２収納部材３４に収納されたままである。遊技者は、右の誘導板３１に向かってパチンコ球が流下するように打出し位置を調整する。右の誘導板３１の上面３１ａで受け止められたパチンコ球はアタッカ２２に誘導され大入賞口２５に入賞する。【選択図】図２
2008073299.tif 000002
【特許請求の範囲】
【請求項１】
遊技の過程で当たりまたはハズレを決定する抽選が行われ、遊技盤の遊技領域に打ち出された遊技球が入賞口に入ったときに所定数の賞球が払い出される遊技機において、
前記入賞口の位置よりも上方の左右に設けられ、前記遊技球を前記入賞口に誘導する誘導位置と、この誘導位置から退避する非誘導位置の間で変位可能な誘導板と、
前記誘導板を前記非誘導位置から前記誘導位置に変位させる変位制御手段とを備え、
前記変位制御手段は、前記抽選結果に応じて前記誘導板のいずれか一方を前記非誘導位置から前記誘導位置に変位させることを特徴とする遊技機。
【請求項２】
前記非誘導位置から前記誘導位置までの距離を任意に設定する位置設定手段を備えたことを特徴とする請求項１記載の遊技機。
【請求項３】
前記誘導板を前記非誘導位置から前記誘導位置に変位させるか否かを決める変位抽選手段と、
前記変位抽選手段による変位抽選で用いられ、前記誘導板を前記非誘導位置から前記誘導位置に変位させる抽選確率が異なる複数の変位決定テーブルと、
前記変位決定テーブルを選択するテーブル選択手段とを備え、
前記変位制御手段は、前記変位抽選手段による変位抽選の結果に基づいて前記誘導板の変位を制御することを特徴とする請求項１または２記載の遊技機。
【請求項４】
前記誘導板は、前記誘導位置に向かわせる方の一端に上方に突出する突出部と、
前記突出部および前記誘導板の他端の間に、前記誘導板が前記誘導位置のときに前記入賞口の上に配置される開口とを備え、
前記誘導板が前記誘導位置のときに、前記突出部は前記開口を介して前記遊技球を前記入賞口に誘導し、
前記非誘導位置のときに、前記突出部は前記遊技球を前記入賞口から離れた外方に誘導することを特徴とする請求項１ないし３いずれか記載の遊技機。
【発明の詳細な説明】
【技術分野】
【０００１】
本発明は、パチンコ店などの遊技場に設置して使用されるパチンコ機などの遊技機に関するものである。
【背景技術】
【０００２】
パチンコ店などの遊技場に設置されているパチンコ機は、遊技盤の前面に各種入賞口、遊技釘、風車やステージなどの構造物が取り付けられており、遊技盤面を流下するパチンコ球の流下方向を変化させる。パチンコ店では、遊技釘の傾きを調整することによって各入賞口へのパチンコ球の入賞率を調整している。例えば、各入賞口への入賞率が低ければ遊技者にとってパチンコ球を獲得することが出来ないため遊技者の興趣を失わせてしまう。また、入賞率が高すぎると、パチンコ店の経営に悪影響を及ぼすという問題がある。さらに、入賞率に影響を及ぼす遊技釘の調整は高い技量や習熟が要求されるため大変手間のかかる作業であった。
【０００３】
特許文献１には大入賞口の上方に入賞調整機構を備え、入賞率の調整を簡単かつ迅速に行えるパチンコ機が記載されている。入賞調整機構は、衝突したパチンコ球の落下方向を変化させる誘導部材を備えており、この誘導部材をガイド孔に沿ってスライドさせ、所望のポジションに固定することで大入賞口への入賞率の調整を行っている。
【特許文献１】特開２００５−１７７２７２号公報
【発明の開示】
【発明が解決しようとする課題】
【０００４】
しかしながら、遊技釘や特許文献１に記載の入賞調整機構を備えたパチンコ機では、パチンコ球を遊技領域に打ち出しながらパチンコ球が入賞口に入りやすい場所を見つけ、その場所に向けてパチンコ球を打ち出すだけなので、遊技が単調となっていた。
【０００５】
本発明は、上記課題を解決するためになされたものであり、入賞率の変更を簡単に行うとともに、入賞率の変更に伴って遊技球の打出し位置を変更させることで遊技性を向上させることができる遊技機を提供することを目的とする。
【課題を解決するための手段】
【０００６】
本発明の遊技機は、遊技の過程で当たりまたはハズレを決定する抽選が行われ、遊技盤の遊技領域に打ち出された遊技球が入賞口に入ったときに所定数の賞球が払い出される遊技機において、前記入賞口の位置よりも上方の左右に設けられ、前記遊技球を前記入賞口に誘導する誘導位置と、この誘導位置から退避する非誘導位置の間で変位可能な誘導板と、前記誘導板を前記非誘導位置から前記誘導位置に変位させる変位制御手段とを備え、前記変位制御手段は、前記抽選結果に応じて前記誘導板のいずれか一方を前記非誘導位置から前記誘導位置に変位させることを特徴とするものである。
【０００７】
また、前記非誘導位置から前記誘導位置までの距離を任意に設定する位置設定手段を備えてもよい。
【０００８】
また、前記誘導板を前記非誘導位置から前記誘導位置に変位させるか否かを決める変位抽選手段と、前記変位抽選手段による変位抽選で用いられ、前記誘導板を前記非誘導位置から前記誘導位置に変位させる抽選確率が異なる複数の変位決定テーブルと、前記変位決定テーブルを選択するテーブル選択手段とを備え、前記変位制御手段は、前記変位抽選手段による変位抽選の結果に基づいて前記誘導板の変位を制御するようにしてもよい。
【０００９】
また、前記誘導板は、前記誘導位置に向かわせる方の一端に上方に突出する突出部と、前記突出部および前記誘導板の他端の間に、前記誘導板が前記誘導位置のときに前記入賞口の上に配置される開口とを備え、前記誘導板が前記誘導位置のときに、前記突出部は前記開口を介して前記遊技球を前記入賞口に誘導し、前記非誘導位置のときに、前記突出部は前記遊技球を前記入賞口から離れた外方に誘導することが好ましい。
【発明の効果】
【００１０】
本発明の遊技機は、遊技の過程で当たりまたはハズレを決定する抽選が行われ、この抽選結果に応じて入賞口の位置より上方の左右に設けられた誘導板のいずれか一方を非誘導位置から誘導位置に変位させるので、遊技者は誘導位置に変位した左右いずれかの誘導板に向かってパチンコ球が流下するように打出し位置を調整する。よって、遊技性が向上した。
【００１１】
また、非誘導位置から誘導位置までの距離を任意に設定する位置設定手段を備えたので、入賞口への入賞率を簡単に変更することができ、遊技性に幅を持たせることができる。
【００１２】
また、非誘導位置から誘導位置に変位させる確率が異なる複数の変位決定テーブルを選択し、この変位決定テーブルを用いて誘導板を誘導位置に変位させるか否かを変位抽選によって決定しているので、遊技者は誘導板が変位することを期待しながら遊技を行うため、遊技性を高めるとともに遊技性に幅を持たせることができる。
【００１３】
また、誘導位置に向かわせる方の誘導板の一端に上方に突出する突出部と、突出部と誘導板の他端の間に、誘導板が誘導位置の時に入賞口の上に配置される開口とを備え、誘導板が誘導位置のときに、突出部は開口を介して遊技球を入賞口に誘導し、非誘導位置のときに突出部は遊技球を入賞口から離れた外方に誘導するので、誘導板が誘導位置の時に入賞率が高まる。よって、遊技者の期待感や興趣を高めることができる。
【発明を実施するための最良の形態】
【００１４】
図１に示すように、遊技機であるパチンコ機２は、本体枠３の内部に遊技盤４が配設されており、本体枠３の前面には前面扉５が設けられている。前面扉５は、遊技盤４の上部を覆う上部枠６と下部を覆う下部枠７とに分割されており、それぞれ開閉自在に取り付けられている。上部枠６および下部枠７は窓枠として機能し、この窓枠にはガラス（図示せず）が取り付けられている。そのため、前面扉５が閉じている状態のときには、遊技者や遊技場の作業者は、ガラスを通して遊技盤４の遊技領域４ａを流下していくパチンコ球を見ることはできるが、遊技盤４にはもちろんのこと本体枠３の内部にも触れることができないようになっている。
【００１５】
また、上部枠６には、その前面に適当な色の透明または半透明な装飾ランプカバー８、９が設けられた装飾領域を有している。各装飾ランプカバー８，９の背後には、それぞれ１個以上の装飾ランプ（図示せず）が配されている。この装飾ランプは、入賞の有無や、抽選結果などの状態に応じて所定のパターンで点灯、消灯を行う。なお、装飾ランプカバー８，９の形状は、適宜に変更することが好ましい。また、装飾領域には、装飾ランプカバー８，９に限らず、遊技者の興趣を高めるような飾りなどの装飾を施してもよい。
【００１６】
前面扉５の下方には、打球供給用の供給皿１１及び遊技球であるパチンコ球３０（図２参照）の打ち出し強さを調節する操作ハンドル１２が設けられている。遊技盤４のパチンコ球３０が打ち出される遊技領域４ａの略中央には、予め定められた入賞口へパチンコ球３０を入賞させるなどの所定入賞条件に基づいて、様々な図柄を液晶画面に変動表示させた後で、停止表示させる図柄可変表示装置１５が設けられている。
【００１７】
図柄可変表示装置１５の下方には、始動入賞口２０、通常入賞口２１、アタッカ２２、アウト口２３等が設けられている。アタッカ２２は、遊技盤４に開閉自在に一体に組み付けられている。また、遊技盤４の略中央には、図柄可変表示装置１５を取り囲むようにセンター役物２４が設けられており、センター役物２４に形成された開口を介して、図柄可変表示装置１５を視認することができる。また、遊技領域４ａには複数の遊技釘や風車等（図示せず）が適宜箇所に設けられている。なお、これら構造物は周知であるので、その記載については省略する。
【００１８】
遊技者は供給皿１１にパチンコ球３０を投入して遊技を開始する。投入されたパチンコ球３０は供給皿１１内に設けられた誘導路を経て発射装置５９（図３参照）に導かれる。遊技者は、回動式の操作ハンドル１２を所定量回動して発射装置５９の駆動を制御することで、パチンコ球３０を１個ずつ遊技領域４ａの上方に向けて打ち出すことができる。打ち出されたパチンコ球３０は遊技領域４ａの上方から流下する途中で始動入賞口２０、通常入賞口２１及びアタッカ２２の奥に設けられた大入賞口２５のいずれかに入るか、あるいはアウト口２３から回収される。なお、遊技領域４ａを流下するパチンコ球が始動入賞口２０、通常入賞口２１、大入賞口２５に入ることを入賞とする。
【００１９】
アタッカ２２の奥には大入賞口２５が設けられており、大入賞口２５内には、大入賞口２５に入賞したパチンコ球を検出する大入賞口センサ４７（図３参照）が設けられている。アタッカ２２は大入賞口２５を開放する開放位置と、大入賞口２５を閉じる閉じ位置との間で回動自在に取り付けられている。
【００２０】
また、図２にも示すように、遊技盤４には、アタッカ２２を中心にして、アタッカ２２から離れた上方の左右に誘導板３１及び第１及び第２収納部材３３，３４が設けられている。なお、アタッカ２２より図中右側に設けられた誘導板３１を右の誘導板３１、図中左側に設けられた誘導板３１を左の誘導板３１として説明する。第１および第２収納部材３３，３４は、その長手方向の断面形状が略コの字型をしており、第１及び第２収納部材３３，３４は開口部３６を有している。そして、左右の誘導板３１は開口部３６に嵌め込まれることで第１及び第２収納部材３３，３４に収納される。また、第１および第２収納部材３３，３４は、アタッカ２２に向けて傾斜して固定されており、その上面は遊技領域４ａを流下するパチンコ球３０を受け止め、斜め下方に設けられたアタッカ２２やアウト口２３に向けてパチンコ球３０を転動させる転動面３３ａ、３４ａが設けられている。
【００２１】
左右の誘導板３１は、開口部３６に収納可能な厚みを有した長方形状をしている。右の誘導板３１は、遊技盤４を介して第１ステッピングモータ５５（図３参照）と接続されており、左の誘導板３１は第２ステッピングモータ５６（図３参照）と接続されている。右の誘導板３１は、第１ステッピングモータ５５の駆動に応じて第１収納部材３３の長手方向に変位し、左の誘導板３１は第２ステッピングモータ５６の駆動に応じて第２収納部材３４の長手方向に変位する。これにより、左右の誘導板３１は、パチンコ球３０をアタッカ２２に誘導する誘導位置（図中、右の誘導板３１で示す位置）と、第１及び第２収納部材３３、３４に収納される非退避位置（図中、左の誘導板３１で示す位置）とに変位される。
【００２２】
第１および第２ステッピングモータ５５，５６の駆動を左右の誘導板３１に伝達させる伝達機構としては、例えば、開口部３６と対向する遊技盤４に長穴を形成し、左右の誘導板３１には長穴から遊技盤４の裏側に突出させる回転軸を設ける。そして、遊技盤４の裏側で回転軸にギアを取り付ける。また、第１および第２ステッピングモータ５５，５６には、遊技盤４の裏側で第１および第２収納部材３３，３４の長手方向と平行に配置したタイミングベルトを接続し、ギアをタイミングベルトに嵌合させる。そして、第１及び第２ステッピングモータ５５，５６でタイミングベルトを回転させると、左右の誘導板３１は、タイミングベルトに沿って第１および第２収納部材３３，３４から露呈し、かつアタッカ２２の上方にその一端を配置する誘導位置と、第１および第２収納部材３３，３４の開口部３６に収納され、かつアタッカ２２の上方から退避する非誘導位置とに変位する。なお、伝達機構としては、これに限るものではなく、周知技術を適宜に用いることが好ましい。
【００２３】
図３は、パチンコ機２の電気的構成を示すブロック図である。パチンコ機２の動作は遊技制御部３９によって管制される。遊技制御部３９は、ＣＰＵ４０、ＲＯＭ４１、ＲＡＭ４２、入賞抽選部４６、変位制御部５３を備えている。
【００２４】
ＣＰＵ４０は、ＲＯＭ４１に格納されている遊技制御プログラムに基づいてパチンコ機２の遊技状態を制御する。ＲＯＭ４１は、ＣＰＵ４０が処理する遊技制御プログラムの他に、各種データなどが格納されている。ＲＡＭ４２は、ワーキングエリアとなっており、遊技において利用されるデータなどの一時的保管や書き換えなどに用いられる。ＣＰＵ４０は、ＲＯＭ４１に格納された各種データや遊技制御プログラムに従ってパチンコ機２の動作を制御して遊技を実行させる。
【００２５】
始動入賞口センサ４５は、始動入賞口２０にパチンコ球３０が入賞したことを検知し、スタート信号をＣＰＵ４０に入力する。ＣＰＵ４０は、始動入賞口センサ４５からのスタート信号に基づいて、入賞抽選部４６に入賞抽選を開始させるコマンドを出力する。
【００２６】
大入賞口センサ４７は、大入賞口２５に入賞したパチンコ球３０を検知してその検知信号をＣＰＵ４０に入力する。ＣＰＵ４０は、この検知信号に基づいて、アタッカ２２の開閉制御を行うとともに、払出装置５０を制御して所定数の賞球（パチンコ球３０）を供給皿１１に払い出させる。
【００２７】
通常入賞口センサ５１は、通常入賞口２１にパチンコ球３０が入賞したことを検知し、ＣＰＵ４０に検知信号を入力する。ＣＰＵ４０は、この検知信号に基づいて払出装置５０を作動させ、所定数の賞球を供給皿１１に払い出させる。なお、始動入賞口センサ４５によってＣＰＵ４０にスタート信号が入力された際にも、ＣＰＵ４０は払出装置５０を作動させて所定数のパチンコ球３０を供給皿１１に払い出させる。
【００２８】
入賞抽選部４６は、乱数発生器、乱数サンプリング回路、当り決定テーブルを備えており、始動入賞口センサ４５によりパチンコ球３０の入賞が検知される度に１つの乱数値を抽選する。抽選された乱数値は当り決定テーブルと照合され、大当りモードに移行させるか否かが抽選判定の結果として決定され、決定に係る情報（例えばコマンド）が生成される。
【００２９】
当り決定テーブルでは、乱数値がその大きさに応じて３つのグループにグループ分けされている。３つの乱数値グループには、「ハズレ」、通常大当たりモードに移行させる「通常大当たり」、通常時とは大当たり確率が異なる確率変動大当たりモードに移行させる「確変大当り」がそれぞれ割り当てられており、サンプリングされた乱数値がいずれのグループに属する値であるかによって、ハズレ及び大当りのいずれかにするかを決定する当選判定が行われる（入賞抽選）。入賞抽選が終了すると抽選結果信号がＣＰＵ４０にフィードバックされる。
【００３０】
入賞抽選部４６で「通常大当たり」、または「確変大当たり」が抽選されると、ＣＰＵ４０はアタッカ２２を開放位置まで回動し、アタッカ２２が３０秒開放されるか、または大入賞口２５に設けられた大入賞口センサ４７でパチンコ球３０が１０個検出されるか（大入賞口２５に１０球のパチンコ球３０が入賞するか）を１ラウンドとして、所定ラウンド（例えば、１５ラウンド）を継続して実行する。また、「確変大当たり」が抽選されると、次回大当たりが抽選されるまで、通常時とは異なる確変（「通常大当たり」または「確変大当たり」が高確率）の当り決定テーブルが抽選時に用いられる。
【００３１】
ＲＯＭ４１には、各特別図柄のグラフィックデータ、停止図柄用乱数サンプリング回路、停止図柄テーブルが格納されている。ＣＰＵ４０は抽選結果信号が入力されると、ＲＯＭ４１に格納させた停止図柄用乱数サンプリング回路に基づいて乱数値のサンプリングを行わせ、サンプリングされた乱数値を停止図柄テーブルと比較させる。
【００３２】
停止図柄テーブルはハズレ用、通常大当り用、確変大当たり用の３種類設けられており、サンプリングされた乱数値は入賞抽選部４６での抽選結果に対応する停止図柄テーブルと照合される。ぞれぞれの停止図柄テーブルには、グループ分けされた乱数値に入賞有効ライン上に停止させる特別図柄の組み合わせが割り当てられており、サンプリングされた乱数値がいずれのグループに属する値であるかによって、入賞有効ライン上に停止される特別図柄の組み合わせが決定される。ＣＰＵ４０は、決定された特別図柄の組み合わせに基づき、図柄可変表示装置１５での特別図柄の変動表示及び停止表示の制御を行う。なお、停止図柄テーブルには、例えば入賞有効ライン上に特別図柄が２個停止したときに特定の特別図柄が揃った状態、つまりはリーチ状態となったときの特別図柄の変動態様、図柄可変表示中に行われるリーチ予告での特別図柄の変動態様、大当り予告での特別図柄の停止態様など、通常時とは異なる特別図柄の変動態様を行わせるか否かのデータも含まれている。
【００３３】
変位制御部５３は、入賞抽選で「通常大当たり」または「確変大当たり」となった際に、左右どちらの誘導板３１を非誘導位置から誘導位置に変位させるかを決定し、この決定に基づいて第１または第２ステッピングモータ５５、５６の駆動を制御する。入賞抽選部４６で「通常当たり」または「確変大当たり」となると、ＣＰＵ４０は変位制御部５３に変位信号を入力する。
【００３４】
変位制御部５３は、乱数発生器、乱数サンプリング回路、誘導板決定テーブルを備えている。誘導板決定テーブルは、乱数値の大きさに応じて右の誘導板３１のグループと左の誘導板３１のグループとにグループ分けされている。変位制御部５３は、変位信号が入力されると１つの乱数値を抽選する。抽選された乱数値は誘導板決定テーブルと照合され、左右どちらの誘導板３１を変位させるかを決定する（誘導板決定抽選）。そして、変位制御部５３は、この抽選結果に基づいて変位させる誘導板３１に接続されている方のステッピングモータを駆動させる。
【００３５】
例えば、誘導板決定抽選によって右の誘導板３１が決定された場合、変位制御部５３は第１ステッピングモータ５５を所定量回転させ、右の誘導板３１を第１収納部材３３に収納されている非誘導位置（図１参照）からパチンコ球３０をアタッカ２２に誘導する誘導位置（図２参照）に変位させる。そして、アタッカ２２の開閉が１５回（１５ラウンド）終了すると、変位制御部５３は第１ステッピングモータ５５を駆動させ、右の誘導板３１を誘導位置から非誘導位置に変位させ、第１収納部材３３に収納させる。なお、誘導板決定抽選で左の誘導板３１が決定された場合も同様に、変位制御部５３は第２ステッピングモータ５６の駆動を制御し、左の誘導板３１を誘導位置と非誘導位置との間で変位させる。
【００３６】
ランプ制御装置５７は、パチンコ機２に設けられた装飾ランプや各種ランプの点灯制御を行う。また、音声制御装置５８は、サウンドメモリを備えており、図柄の変動表示中や当たりモードに移行したときなどにサウンドメモリからサウンドプログラムを読み出し、音楽や音声をスピーカーから出力させる。また、発射装置５９は、操作ハンドル１２に連結されており、操作ハンドル１２が操作されると、この操作量に応じた打ちだし強さでパチンコ球３０を一定間隔で遊技領域４ａに打ち出す（発射）。
【００３７】
上記のように構成されたパチンコ機２の作用について説明する。遊技者によって操作ハンドル１２が操作されると、その操作量に応じた強さでパチンコ球３０が発射装置５９によって遊技領域４ａの上方に打ち出される。打ち出されたパチンコ球３０は、遊技釘や風車、第１及び第２収納部材３３，３４などの構造物に衝突しながら流下する。このように流下するパチンコ球３０は、始動入賞口２０、通常入賞口２１のいずれかに入賞するか、アウト口２３で回収される。
【００３８】
パチンコ球３０が始動入賞口２０または通常入賞口２１に入賞すると、これらの入賞口２０，２１に割り当てられた個数の賞球が供給皿１１に払い出される。さらに、始動入賞口２０にパチンコ球３０が入賞すると、賞球の払い出しとともに入賞抽選が行われる。これにより、遊技盤４に設けられた図柄可変表示装置１５には、複数種類の図柄が変動表示された後に、入賞抽選の抽選結果に応じた図柄が停止表示される。
【００３９】
図柄可変表示装置１５に「通常大当たり」または「確変大当たり」に対応する図柄が停止表示すると、通常の遊技モードから通常大当たりモードまたは確率変動大当たりモードに移行するとともに、アタッカ２２が閉じ位置から開放位置に回動する。さらに、「通常大当たり」または「確変大当たり」となったことにより、変位制御部５３は誘導板決定抽選を行う。
【００４０】
例えば、この誘導板決定抽選で右の誘導板３１が選択された場合、右の誘導板３１は第１収納部材３３に収納されていた非誘導位置（図１参照）から誘導位置（図２参照）に変位する。これにより、遊技者は操作ハンドル１２で打出し位置を調整し、右の誘導板３１及び第１収納部材３３に向けてパチンコ球３０を流下させる。図２に示すように、右の誘導板３１の上面３１ａおよび第１収納部材３３の転動面３３ａで受け止められたパチンコ球３０は、上面３１ａおよび転動面３３ａを転動しながら開放位置にあるアタッカ２２に誘導され、大入賞口２５に入賞する。
【００４１】
そして、大入賞口２５に所定数（１０個）のパチンコ球３０が入賞するか、アタッカ２２を開放位置に回動してから所定時間（３０秒）が経過すると、アタッカ２２は開放位置から閉じ位置に回動する。この開閉動作が例えば１５回（１５ラウンド）行われると、通常大当たりモードまたは確率変動大当たりモードが終了し、通常の遊技モードに移行するとともにアタッカ２２は閉じ位置のままとなる。このように、アタッカ２２が開閉動作を行っている間は、右の誘導板３１は誘導位置に変位されたままなので、遊技者は右の誘導板３１に向けてパチンコ球３０を打ち出す。これにより、アタッカ２２が開放位置に回動すると、制限時間内に所定数のパチンコ球３０を大入賞口２５に入賞させることができるので入賞率が高まり、遊技者は多くの賞球を獲得することができる。そして、１５ラウンドが終了すると、右の誘導板３１は誘導位置から非誘導位置に変位される。
【００４２】
また、誘導板決定抽選で選ばれなかった左の誘導板３１は、第２収納部材３４に収納されている。第２収納部材３４はアタッカ２２から離れた位置に設けられているので、転動面３４ａで受け止められたパチンコ球３０は、開放位置のアタッカ２２に殆ど誘導されることはなく、アウト口２３に回収されてしまう。従って、遊技者は非誘導位置から誘導位置に変位した誘導板３１に向けてパチンコ球３０の打出し位置を調整するので遊技性を高めることができる。
【００４３】
また、上記実施形態では、左右のいずれか一方の誘導板３１を第１及び第２収納部材３３，３４に収納させた非誘導位置から、予め設定された距離だけ離れた誘導位置に変位させたが、パチンコ機２に非誘導位置から誘導位置までの距離を任意に設定する位置設定手段を備えてもよい。
【００４４】
この場合は、図４に示すように遊技制御部３９に位置設定手段である位置設定部６０を備える。位置設定部６０は、遊技者が操作できない前面扉５の内側などに設けられている。例えば、位置設定部６０としてはロータリースイッチが用いられる。そして、誘導位置の設定は、ロータリースイッチのツマミを調整することで、左右の誘導板３１がパチンコ球３０をアタッカ２２に誘導できる誘導可能範囲内で誘導位置を設定する。この誘導可能範囲としては、図中実線で示す非誘導位置から最も近い（変位量が少ない）距離の第１誘導位置と、図中点線で示す非誘導位置から最も離れた（変位量が多い）距離の第２誘導位置との間である。この誘導可能範囲内で設定された誘導位置の距離情報（非誘導位置からの変位量）は変位制御部６１に入力される。
【００４５】
変位制御部６１は、入力された距離情報に基づいて第１または第２ステッピングモータ５５，５６の回転量を制御する。よって、図５に示すように、誘導板決定抽選で決定された左右いずれか一方の誘導板３１は、図中実線で示す第１誘導位置と図中点線で示す第２誘導位置との間で設定された誘導位置に変位される。このように、誘導位置を変更することで、誘導板３１の上面３１ａを転動するパチンコ球３０が開放位置のアタッカ２２へ誘導される確率が変わるので、大入賞口２５への入賞率を容易に変更することができる。従って、遊技性に幅をもたせることができる。なお、位置設定部６０としては、ロータリースイッチの代わりに非誘導位置から誘導位置までの距離情報（非誘導位置からの変位量）を直接数値で入力する構成にしてもよい。また、非誘導位置から誘導位置までの距離を予め複数個設定しておき、これらの中から選択するようにしてもよい。
【００４６】
次に、図６を用いて、左右の誘導板に突出部と開口を備えた場合を説明する。以後、上記実施形態と同一の構成部材には同じ符号を付し、重複した説明は省略する。パチンコ機２は、遊技盤４に第１および第２収納部材３３，３４と左右の誘導板６５とを備えている。
【００４７】
図６に示すように、アタッカ２２の上方の右側には第１収納部材３３が、左側には第２収納部材３４が設けられている。第１及び第２収納部材３３，３４は、その長手方向での断面形状が略コの字型をしており、略コの字型の開口部３６には左右の誘導板６５が収納される。第１及び第２収納部材３３，３４は、開口部３６を対向させ、かつアタッカ２２に向けて僅かに傾斜させて遊技盤４に固定されている。第１及び第２収納部材３３，３４は、その上面に遊技領域４ａを流下するパチンコ球３０を受け止め、転動させる転動面３３ａ、３４ａを有している。
【００４８】
左右の誘導板６５は、突出部６５ａと受け部６５ｂとから構成されている。受け部６５ｂは、第１及び第２収納部材３３，３４に形成された開口部３６に収納可能な厚さを有する長方形状の板である。受け部６５ｂの一端には、その上面から上方に突出する突出部６５ａが設けられており、他端は第１及び第２収納部材３３，３４の開口部３６に配置されている（図中、右の誘導板３１参照）。そして、左右の誘導板６５は、第１および第２ステッピングモータ５５，５６と接続されている。また、受け部６５ｂには、突出部６５ａの近傍に開口６８が形成されている。なお、図６では、右の誘導板６５の構成を図示しているが、左の誘導板６５の構成も同様である。
【００４９】
図６に示すように、左右の誘導板６５は、第１および第２ステッピングモータ５５，５６の駆動によって、パチンコ球３０をアタッカ２２に誘導する誘導位置と、この誘導位置から退避して第１及び第２収納部材３３，３４に収納される非誘導位置の間で変位する。右の誘導板３１で示すように誘導位置としては、突出部６５ａおよび開口６８がアタッカ２２の真上に配置される。これにより、開口６８から落下するパチンコ球３０は、開放位置のアタッカ２２に誘導され、大入賞口２５に入賞する。また、受け部３１ｂの上面を転動するパチンコ球３０が開口６８で落下せずに、突出部６５ａに衝突した際には、突出部６５ａによってパチンコ球３０が開口６８に案内される。
【００５０】
また、左の誘導板６５で示すように非誘導位置としては、突出部６５ａが第２収納部材３４に当接するまで受け部６５ｂが開口部３６に収納される。従って、非誘導位置では、受け部６５ｂは開口部３６に収納されるが、突出部６５ａは第２収納部材３４に収納されずに露呈している。第２収納部材３４に当接している突出部６５ａは転動面３４ａより上方に突出し、かつアタッカ３３から離れた位置に配置される。これにより、第２収納部材３４の転動面３４ａを転動するパチンコ球３０は突出部６５ａに衝突し、アタッカ２２から離れた外方に誘導される。なお、右の誘導板６５を誘導位置に、左の誘導板６５を非誘導位置にした場合を説明したが、右の誘導板６５を非誘導位置に、左の誘導板６５を誘導位置にした場合も同様である。
【００５１】
上記のように構成された左右の誘導板６５を用いたパチンコ機２の作用について説明する。左右の誘導板６５は、それぞれ第１及び第２収納部材３３、３４に収納された状態（非誘導位置）で遊技が行われる。遊技者がパチンコ球３０を遊技領域４ａの上方に打ち出す。遊技領域４ａを流下するパチンコ球３０が始動入賞口２０に入賞すると、賞球の払い出しとともに入賞抽選が行われる。
【００５２】
この入賞抽選で「通常大当たり」または「確変大当たり」となると、変位制御部５３は誘導板決定抽選によって左右のどちらの誘導板６５を変位させるのかを決定する。例えば、右の誘導板６５を変位させると決定した場合、閉じ位置から開放位置へのアタッカ２２の回動に伴って、第１収納部材３３に収納されていた右の誘導板６５が第１ステッピングモータ５５の駆動によって誘導位置まで変位される。このとき、左の誘導板６５は第２収納部材３４に収納されたままの状態である。
【００５３】
これにより、遊技者は操作ハンドル１２を調整し、第１収納部材３３及び右の誘導板６５に向けてパチンコ球３０が流下するように打出し位置を調整する。よって、第１収納部材３３の転動面３３ａおよび右の誘導板６５の受け部６５ｂで受け止められたパチンコ球３０は、転動面３３ａおよび受け部６５ｂの傾斜に沿って転動し、開口６８から落下する。また、転動する勢いが強く、開口６８を越えて突出部６５ａに衝突したパチンコ球３０は、突出部６５ａによって開口６８に案内され、開口６８から落下する。開口６８から落下したパチンコ球３０は、開放位置のアタッカ２２に誘導されて大入賞口２５に入賞する。
【００５４】
また、第２収納部材３４の転動面３４ａで受け止められたパチンコ球３０は、転動面３４ａの傾斜に沿って転動するが、転動面３４ａから上方に突出した左の誘導板６５の突出部６５ａによってアタッカ２２から離れた外方に誘導され、アウト口２３に収容される。
【００５５】
上記のように、遊技者は、誘導位置に変位した右の誘導板６５に向かって流下するようにパチンコ球３０の打出し位置を調整するので、開放位置のアタッカ２２に多くのパチンコ球３０が誘導され、制限時間内に確実に所定数のパチンコ球３０を大入賞口２５に入賞させることができる。よって、遊技者は多くの賞球を獲得することができ、興趣が高まる。なお、右の誘導板３１を非誘導位置から誘導位置に変位させる場合を説明したが、左の誘導板６５を変位させた場合も同様である。
【００５６】
また、誘導板決定抽選によって変位させる誘導板６５を決定した際に、図柄表示装置１５の液晶画面に左右どちらの誘導位置６５を変位させるのか案内表示してもよい。これにより、遊技者は案内表示に基づいてパチンコ球３０の打出し位置を調整することができる。
【００５７】
また、上記実施形態では、入賞抽選によって「通常大当たり」または「確変大当たり」となった場合に、誘導板決定抽選によって非誘導位置から誘導位置に変位させる誘導板３１を決定したが、これに代えて、１ラウンド毎に左右の誘導板６５を交互に変位させてもよい。これにより、遊技者の技量が遊技に反映されるので、遊技性を高めることができる。なお、この場合も左右どちらの誘導板６５を誘導位置に変位させるかを液晶画面に案内表示することが好ましい。
【００５８】
また、上記各実施形態では、確率変動大当たりモード中を除いて、入賞抽選は１つの当たり決定テーブルを用いて行っていたが、これに代えて、「ハズレ」、「通常大当たり」、「確変大当たり」の当選確率が異なる複数の当たり決定テーブルを備えるとともに、入賞抽選で「通常大当たり」または「確変大当たり」となったときに、左右の誘導板３１を非誘導位置から誘導位置に変位させるか否かの変位抽選を行い、この抽選結果にもとづいて左右の誘導板３１の変位を制御するようにしてもよい。なお、この実施形態の説明は、図１、２に示す誘導板３１を用いて説明する。
【００５９】
図７に示すように、遊技制御部３９には設定変更部７０、変位抽選部７１を備えている。さらに、ＲＯＭ７３には、「ハズレ」、「通常大当たり」、「確変大当たり」の抽選確率がそれぞれ異なる第１〜第３当たり決定テーブル７５〜７７と、左右の誘導板３１を変位させるか否かの抽選確率がそれぞれ異なる第１〜第３変位決定テーブル７６〜８０が格納されている。そして、第１〜第３当たり決定テーブル７５〜７７および第１〜第３変位決定テーブル７８〜８０には、それぞれ１〜３の設定値が割り当てられている。例えば、この設置値と各テーブルの関係としては、設定値「１」に対して第１当たり決定テーブル７５と第１変位決定テーブル７８が、設定値「２」に対しては第２当たり決定テーブル７６と第２変位決定テーブル７９が、設定値「３」に対しては第３当たり決定テーブル７７と第３変位決定テーブル８０が対応付けられているが、必ずしもこれに限るものではない。
【００６０】
設定変更部７１は、遊技者が操作できない前面扉５の内側などに設けることが好ましい。設定変更部７１はパチンコ店の従業員によって操作され、「１」〜「３」のいずれかの設定値が設定される。設定変更部７１で設定された設定値はＣＰＵ４０に入力される。ＣＰＵ４０は、入力された設定値に対応付けられた第１〜第３当たり決定テーブル７５〜７７のいずれかをＲＯＭ７３から読み出して、入賞抽選部４７に入力する。入賞抽選部４７は、入力された当たり決定テーブルを用いて入賞抽選を行う。
【００６１】
さらに、ＣＰＵ４０は、設定された設定値に対応付けられた第１〜第３変位決定テーブル７８〜８０のいずれかをＲＯＭ７３から読み出し、変位抽選部７２に入力する。変位抽選部７２は、入力された変位決定テーブルを用いて、左右の誘導板３１を変位させるか否かの変位抽選を行う。なお、設定変更部７０はテーブル決定手段としても機能する。
【００６２】
変位抽選手段である変位抽選部７２は、乱数発生器、乱数サンプリング回路を備えている。入賞抽選によって「通常大当たり」または「確変大当たり」となると、変位抽選部７２は乱数値を１つ抽選する。抽選された乱数値は、ＣＰＵ４０によって入力された第１〜第３変位テーブル７８〜８０のいずれかと照合され、左右の誘導板３１を非誘導位置から誘導位置に変位させるか否かが決定され、この決定に係るコマンドが変位制御部７４に入力される。
【００６３】
変位制御部７４は、変位抽選部７２から入力されたコマンドに基づいて、誘導板３１を変位させることが決定された場合には誘導板決定抽選を行う。例えば、誘導板決定抽選によって右の誘導板３１を変位と決定された場合には、図７に示すように、変位制御部７２はアタッカ２２の回動に伴って右の誘導板３１を非誘導位置から誘導位置に変位させる。これにより、遊技者は右の誘導板３１及び第１収納部材３３に向けてパチンコ球３０を流下させることで、大入賞口２５への入賞率が高くなる。
【００６４】
また、誘導板３１を変位させないことが決定された場合には、変位制御部７２は誘導板決定抽選を行わない。つまり、アタッカ２２が開放位置に回動しても図１に示すように左右の誘導板３１は非誘導位置のままである。これにより、左右の誘導板３１のいずれかを誘導位置に変位させた場合に比べて大入賞口２５への入賞率が低くなるので、遊技性に幅を持たせることができる。また、遊技者は左右の誘導板３１が変位することを期待しながら遊技を行うことで、興趣が高まる。
【００６５】
また、設定値に応じて、それぞれ抽選確率の異なる第１〜第３当たり決定テーブル７５〜７７のいずれかを用いて入賞抽選を行うと共に、それぞれ抽選確率の異なる第１〜第３変位決定テーブル７８〜８０を用いて変位抽選を行ったので、遊技性に幅を持たせることができる。
【００６６】
また、上記実施形態では、設定値「１」〜「３」に第１〜第３当たり決定テーブル７５〜７７と第１〜第３変位決定テーブル７８〜８０とを対応付け、設定された設定値に応じて第１〜第３変位決定テーブル７８〜８０のいずれかを用いて変位抽選を行ったが、さらに、左右の誘導板３１の誘導位置を設定値「１」〜「３」毎に変更してもよい。つまり、設定値に応じて非誘導位置から誘導位置までの距離（変位量）が異なるようにしてもよい。
【００６７】
この場合は、図５に示すように、パチンコ球３０を開放位置のアタッカ２２に誘導できる誘導可能範囲内に設定した誘導位置を設定値「１」〜「３」にそれぞれ設定する。この誘導可能範囲としては、前述のように図中実線で示す非誘導位置から最も近い距離の第１誘導位置と、図中点線で示す非誘導位置から最も離れた距離の第２誘導位置との間である。この誘導可能範囲内で設定された誘導位置の距離情報（非誘導位置からの変位量）は、各設定値に対応付けてＲＯＭ７３に格納されている。例えば、設定値「１」には第１誘導位置（図中実線）に対応する距離情報が、設定値「３」には第２誘導位置に対応する距離情報が、設定値「２」には第１誘導位置と第２誘導位置との中間位置に対応する距離情報が対応つけられている。
【００６８】
これにより、例えば、設定変更部７０によって「１」の設定値が設定された場合は、入賞抽選部４６に第１当たり決定テーブル７５が入力され、第１当たり決定テーブル７５を用いて入賞抽選が行われる。そして、変位抽選部７１には第１変位決定テーブル７８が入力され、この第１変位決定テーブル７８を用いて変位抽選が行われる。また、変位制御部７４には、第１誘導位置に対応する距離情報が入力される。
【００６９】
入賞抽選で「通常大当たり」または「確変大当たり」となり、変位抽選で誘導板３１を変位させることが決定すると、変位制御部７４は誘導板決定抽選を行う。例えば、誘導板決定抽選で右の誘導板３１が決定されると、変位制御部７４は入力された第１誘導位置に対応する距離情報に基づいて第１ステッピングモータ５５を所定量回転させる。これにより、右の誘導板３１は、非誘導位置から図５の実線で示す第１誘導位置まで変位する。なお、設定値が「３」の場合は、右の誘導板３１は図５の点線で示す誘導位置に変位する。同様に、設定値が「２」の場合は、図５の実線と点線の間の誘導位置に変位する。
【００７０】
このように、設定値に応じてそれぞれ異なる誘導位置（非誘導位置から誘導位置までの距離）を設定したので、設定値によって大入賞口２５への入賞率が容易に変更できる。よって、遊技性に幅を持たせることができる。
【００７１】
なお、上記実施形態では、設定値に第１〜第３当たり決定テーブル７５〜７７と第１〜第３変位決定テーブル７８〜８０とを対応付けたが、これに限らず、設定値に第１〜第３当たり決定テーブル７５〜７７または第１〜第３変位決定テーブル７８〜８０のどちらか一方だけを対応付けてもよい。また、抽選確率が異なる変位決定テーブルを３つ設けたが、２つでも３つ以上でもよい。また、設定値に応じて左右の誘導板３１の誘導位置を異なる位置にしたが、これに限らず、どの設定値でも同じ誘導位置に変位させてもよい。
【００７２】
また、上記各実施形態では、遊技盤４に左右の誘導板を収納する第１及び第２収納部材３３，３４を備え、左右の誘導板を第１及び第２収納部材の長手方向に沿って変位させるようにしたが、これに代えて、図８に示すように、左右の誘導板８２を遊技盤４の盤面に対して垂直方向に変位させるようにし、左右の誘導板８２を遊技盤４内に収納する第１及び第２収納部８４，８５を備えてもよい。
【００７３】
第１及び第２収納部８４，８５は、遊技盤４に形成された開口である。そして、左右の誘導板８２は、遊技盤４の盤面に垂直方向で、図中実線で示す非誘導位置と図中点線で示す誘導位置とに変位する。また、左右の誘導板８２はアタッカ２２に向けて僅かに傾斜しており、左右の誘導板８２が誘導位置では、遊技領域を流下するパチンコ球３０を上面で受け止め、開放位置にあるアタッカ２２に向けて転動させる。これにより、左右の誘導板８２の上面を転動したパチンコ球３０はアタッカ２２に誘導され、大入賞口２５に入賞する。また、左右の誘導板８２が非誘導位置にあるときには、左右の誘導板８２の前面は遊技盤４の盤面と略同一平面上に配置される。
【００７４】
また、上記各実施形態では、アタッカ２２を中心にし、アタッカ２２の上方かつ左右に誘導板を設け、入賞抽選によって「通常大当たり」または「確変大当たり」となった場合に、左右いずれかの誘導板を非誘導位置から誘導位置に変位させることでパチンコ球３０を大入賞口２５へと誘導したが、これに限らず、左右の誘導板を始動入賞口や通常入賞口の近傍に設け、誘導板を非誘導位置から誘導位置に変位させることで、パチンコ球３０を始動入賞口や通常入賞口に誘導してもよい。さらにまた、左右の誘導板を始動入賞口２０または通常入賞口２１の近傍に設けた場合は、入賞抽選によって「ハズレ」となった場合に誘導板を非誘導位置から誘導位置に変位させてもよい。
【図面の簡単な説明】
【００７５】
【図１】本発明を用いたパチンコ機の外観を示す正面斜視図である。
【図２】遊技盤に設けた誘導板の構成を示す斜視図である。
【図３】本発明を用いたパチンコ機の電気的構成を示すブロック図である。
【図４】非誘導位置から誘導位置までの距離を任意に設定する位置設定部を備えたパチンコ機の電気的構成を示すブロック図である。
【図５】位置設定部によって設定可能な誘導可能範囲を説明する斜視図である。
【図６】突出部と開口を備えた誘導板の構成を示す斜視図である。
【図７】設定値の設定を行う設置変更部および変位抽選を行う変位抽選部を備えたパチンコ機の電気的構成を示すブロック図である。
【図８】遊技盤に対して垂直方向に変位する誘導板と、この誘導板を収納する収納部との構成を示す斜視図である。
【符号の説明】
【００７６】
２  パチンコ機（遊技機）
４  遊技盤
４ａ  遊技領域
２２  大入賞口
３０  パチンコ機
３１  誘導板
５３  変位制御部（変位制御手段）
６０  位置設定部（位置設定手段）
６５ａ  突出部
６８  開口
７０  設定変更部（テーブル決定手段）
７１  変位抽選部（変位抽選手段）
７８〜８０  第１〜第３変位決定テーブル（変位決定テーブル）
【図１】
2008073299.tif 000003
【図２】
2008073299.tif 000004
【図３】
2008073299.tif 000005
【図４】
2008073299.tif 000006
【図５】
2008073299.tif 000007
【図６】
2008073299.tif 000008
【図７】
2008073299.tif 000009
【図８】
2008073299.tif 000010